(57)【特許請求の範囲】
【請求項１】
表層と、
６０ｗｔ％以上の炭素成分を含有する炭素層と、
を備え、
前記炭素層は、炭素繊維および活性炭素繊維のいずれか一つ以上から形成された織物又は不織布から構成されることを特徴とする遠赤外線マスク。
【請求項２】
前記炭素層は、さらに８０ｗｔ％以上の炭素成分を含有することを特徴とする請求項１に記載の遠赤外線マスク。
【請求項３】
前記表層の材質は、天然繊維、合成繊維、高分子材料、天然皮革、合成皮革のいずれか一つ以上であることを特徴とする請求項１に記載の遠赤外線マスク。
【請求項４】
さらに前記炭素層に形成される底層を備え、
前記底層の材質は、天然繊維、合成繊維、高分子材料、天然皮革、合成皮革のいずれか一つ以上であることを特徴とする請求項１に記載の遠赤外線マスク。
【請求項５】
表層と、
６０ｗｔ％以上の炭素成分を含有する炭素層と、を備え、
前記炭素層は、さらに４０ｗｔ％以下の合成繊維を含有することを特徴とする遠赤外線マスク。
【請求項６】
表層と、
６０ｗｔ％以上の炭素成分を含有する炭素層と、を備え、
前記炭素層は、さらに２ｗｔ％以下である粒子状またはフィルム状の金属を含有し、前記金属は銀、金、パラジウム、銅、亜鉛、アルミニウムおよびクロムのいずれか一つ以上であることを特徴とする遠赤外線マスク。
【請求項７】
表層と、
６０ｗｔ％以上の炭素成分を含有する炭素層と、
前記炭素層に形成される底層と、
前記底層に形成される粘着層と、を備え、
前記底層の材質は、天然繊維、合成繊維、高分子材料、天然皮革、合成皮革のいずれか一つ以上であり、
前記底層に形成される前記粘着層は、シリコン、アクリル樹脂、ポリカーボネート樹脂のいずれか一つ以上から構成されることを特徴とする遠赤外線マスク。
【請求項８】
表層と、
６０ｗｔ％以上の炭素成分を含有する炭素層と、
前記炭素層に形成される粘着層と、を備え、
前記炭素層に形成される前記粘着層は、シリコン、アクリル樹脂、ポリカーボネート樹脂のいずれか一つ以上から構成されることを特徴とする遠赤外線マスク。
【請求項９】
前記炭素層は、炭素繊維および活性炭素繊維のいずれか一つ以上から形成された織物又は不織布から構成されることを特徴とする請求項５から８のいずれか１項に記載の遠赤外線マスク。
【発明の詳細な説明】
【技術分野】
【０００１】
本発明は、マスクに関し、詳しくは、遠赤外線マスクに関するものである。
【背景技術】
【０００２】
従来の美容およびケアプログラムは、保湿、美白、キメ整え、しみ漂白などの効果がある機能性液体を含有したマスクを皮膚に密着させ、機能性液体中の成分を皮膚細胞に浸透させることによって皮膚の保護および改善を達成し、皮膚を良好な状態に維持することである。しかしながら、単なる機能性液体を十分に含有したマスクを皮膚に密着させるならば、皮膚が吸収できる有効成分は非常に限られるため、ケア効果がそれほどよくない。
【先行技術文献】
【特許文献】
【０００３】
【特許文献１】特開２００１−１４５５２０号公報
【発明の概要】
【発明が解決しようとする課題】
【０００４】
上記問題を解決するため、本発明は、皮膚の体温を上昇させ、マスクの機能成分に対する皮膚の吸収力を向上させ、紫外線防御機能を果たすことが可能な遠赤外線マスクを提供することを主な目的とする。
本発明は、抗菌機能を果たすことが可能な遠赤外線マスクを提供することをもう一つの目的とする。
【課題を解決するための手段】
【０００５】
上述の目的を達成するために、本発明による遠赤外線マスクは、表層および表層に形成される炭素層を備える。炭素層は６０ｗｔ％以上の炭素成分を含有することが比較的好ましい。また、炭素層は、炭素繊維および活性炭素繊維のいずれか一つ以上から形成された織物又は不織布から構成される。これにより、皮膚の温度を上昇させ、血行を促進することができるだけでなく、皮膚のマスクの有効成分を吸収する能力を上昇させることができる。一方、本発明による遠赤外線マスクは、紫外線防御機能を有するため、紫外線ダメージから皮膚を守ることができる。
【図面の簡単な説明】
【０００６】
【図１】本発明の第１実施形態による遠赤外線マスクの構成を示す模式図である。
【図２】本発明の第２実施形態による遠赤外線マスクの構成を示す模式図である。
【図３】本発明の第３実施形態による遠赤外線マスクの構成を示す模式図である。
【図４】本発明の第４実施形態による遠赤外線マスクの構成を示す模式図である。
【図５】マスクを着用する前の実験対象者の顔面温度を示す温度分布図である。
【図６】実験例１によるマスクを着用した実験対象者の顔面温度を示す温度分布図である。
【図７】比較例１によるマスクを着用した実験対象者の顔面温度を示す温度分布図である。
【発明を実施するための形態】
【０００７】
以下、本発明による遠赤外線マスクを図面に基づいて説明する。なお以下の実施形態において、同じ符号に表記された部分は同じ構成または類似した構成を表示する。
（第１実施形態）
図１に示すように、本発明の第１実施形態による遠赤外線マスク１０は、表層２０および炭素層３０を備える。
【０００８】
表層２０の材質は、天然繊維、合成繊維、高分子材料、天然皮革、合成皮革のいずれか一つ以上である。
炭素層３０は、表層２０の底面に形成され、かつ６０ｗｔ％以上の炭素成分と、４０ｗｔ％以下の合成繊維とを含有し、特に８０ｗｔ％以上の炭素成分と、２０ｗｔ％以下の合成繊維とを含有することが比較的好ましい。炭素成分は、竹炭粉末、炭素繊維、ナノカーボンチューブ、活性炭素粉末、活性炭素顆粒、活性炭素繊維のいずれか一つ以上である。炭素層３０は織物、不織布、通気性のある紙、通気性のないフィルムのいずれか一つ以上である。
【０００９】
本実施形態による遠赤外線マスク１０において、炭素層３０は２ｗｔ％以下である粒子状またはフィルム状の金属を含有してもよい。金属は銀、金、パラジウム、銅、亜鉛、アルミニウムまたはクロムのいずれか一つ以上である。従って本発明による遠赤外線マスク１０は抗菌機能を果たすことができる。
【００１０】
遠赤外線マスク１０を製造するとき、ヒアルロン酸、コラーゲン、フルーツ酸、銀杏エキス、アロエエキス、甘草エキス、アラントイン、マルチビタミン、天然保湿成分、海藻エキスなどの機能成分を遠赤外線マスク１０に添加することができる。本実施形態による遠赤外線マスク１０が人体の皮膚に着用されるとき、炭素層３０中の炭素成分は遠赤外線を放出し、皮膚の温度を上昇させ、血行を促進することによってマスク内の機能成分を吸収する皮膚の能力を向上させることができる。また炭素層３０中の炭素成分は紫外線防御機能を有するため、紫外線ダメージから人体の皮膚を守ることができる。かつ実際の需要に応じ、本実施形態による遠赤外線マスク１０をフェースマスク、額用マスク、アイマスク、首用マスク、胸用マスク、ハンドマスク、足用マスク、傷跡修復シートまたは傷保護シートにすることができる。また、本実施形態による遠赤外線マスク１０は、手袋、靴下、仮面、腕サポート、肘サポートまたは膝サポートに適用することができる。
【００１１】
（第２実施形態から第４実施形態）
図２から図４に示したのは本発明の第２実施形態から第４実施形態である。図２に示すように、第２実施形態による遠赤外線マスク１０は、さらに炭素層３０に形成される底層４０を備える。図３に示すように、第３実施形態による遠赤外線マスク１０は、さらに炭素層３０に形成される粘着層５０を備える。図４に示すように、第４実施形態による遠赤外線マスク１０は、さらに炭素層３０に形成される底層４０と、底層４０に形成される粘着層５０とを備える。底層４０の材質は、天然繊維と、合成繊維と、ポリエチレン（Polyethylene，ＰＥ）、ポリ塩化ビニル（Polyvinyl Chloride，ＰＶＣ）、ポリプロピレン（Polypropylene，ＰＰ）、ポリエチレンテレフタラート（Polyethylene terephthalate, ＰＥＴ)またはフッ素樹脂などの高分子材料と、天然皮革と、合成皮革といずれか一つ以上である。粘着層５０は、シリコン、アクリル樹脂、ポリカーボネート樹脂のいずれか一つ以上から構成されてもよい。
【００１２】
図２に示した構成を使用するとき、底層４０は人体の皮膚に接触する。図３または図４に示した構成を使用するとき、粘着層５０は人体の皮膚に接触する。
以下の実験例は本発明の範囲を限定するものではなく、本発明を詳しく説明するために提示される。なお当業者ならば本発明の思想を逸脱しない範囲において様々な変更および修正を行うことは本発明の権利範囲に属するべきである。
【００１３】
（実験例１）
表層２０は、ポリエチレンテレフタラート（ＰＥＴ）の不織布から構成される。炭素層３０は、成分が１００％の活性炭素繊維である活性炭素繊維布から構成され、比表面積が１１００ｍ2／ｇであり、含水率が１９％である。底層４０は、多孔性ポリエチレン（ＰＥ）フィルムから構成される。続いて医療用アクリル樹脂によって各層を接着すれば実験例１による遠赤外線マスク１０が完成する。
【００１４】
（実験例２）
表層２０は、綿の平織布から構成される。炭素層３０は、１００％の炭素繊維フェルトから構成され、厚さが０．２ｍｍであり、重さが７０ｇ／ｍ2であり、比表面積が８６ｍ2／ｇであり、含水率が０．５０％である。粘着層５０は、シラン含有プラスチックを炭素層３０に塗布することによって形成される。続いて医療用アクリル樹脂によって表層２０および炭素層３０を接着すれば実験例２による遠赤外線マスク１０が完成する。
【００１５】
（実験例３）
表層２０は、綿の平織布から構成される。炭素層３０は、１００％の平織炭素繊維布から構成され、比表面積が７５ｍ2／ｇであり、厚さが０．３５ｍｍであり、重さが８５ｇ／ｍ2である。また炭素層３０は０．２ｗｔ％の顆粒状ナノ銀を含有する。続いて医療用アクリル樹脂によって各層を接着すれば実験例３による遠赤外線マスク１０が完成する。
【００１６】
（実験例４）
表層２０は、コットン不織布から構成される。炭素層３０は、活性炭素繊維とポリエチレンテレフタラート（ＰＥＴ）繊維とが混合して形成した不織布から構成され、かつ活性炭素繊維の含有量が６０ｗｔ％であり、厚さが０．２５ｍｍであり、重さが５０ｇ／ｍ2であり、比表面積が２５０ｍ2／ｇである。続いて医療用アクリル樹脂によって各層を接着すれば実験例４による遠赤外線マスク１０が完成する。
【００１７】
（実験例５）
表層２０は、コットン不織布から構成される。炭素層３０は、活性炭素繊維とポリエチレンテレフタラート（ＰＥＴ）繊維とが混合して形成した不織布から構成され、かつ活性炭素繊維の含有量が８０ｗｔ％であり、厚さが０．２５ｍｍであり、重さが５０ｇ／ｍ2であり、比表面積が４００ｍ2／ｇである。続いて医療用アクリル樹脂によって各層を接着すれば実験例５による遠赤外線マスク１０が完成する。
【００１８】
（比較例１）
表層２０は、コットン不織布から構成される。炭素層３０は、活性炭素繊維とポリエチレンテレフタラート（ＰＥＴ）繊維とが混合して形成した不織布から構成され、かつ活性炭素繊維の含有量が２５ｗｔ％であり、厚さが０．０５ｍｍであり、重さが２０ｇ／ｍ2であり、比表面積が１００ｍ2／ｇである。続いて医療用アクリル樹脂によって表層２０と炭素層３０を接着すれば比較例１による遠赤外線マスク１０が完成する。
【００１９】
（比較例２）
表層２０は、コットン不織布から構成される。炭素層３０は、活性炭素繊維とポリエチレンテレフタラート（ＰＥＴ）繊維とが混合して形成した不織布から構成され、かつ活性炭素繊維の含有量が５０ｗｔ％であり、厚さが０．２５ｍｍであり、重さが５０ｇ／ｍ2であり、比表面積が２００ｍ2／ｇである。続いて医療用アクリル樹脂によって表層２０と炭素層３０を接着すれば比較例２による遠赤外線マスク１０が完成する。
【００２０】
（比較例３）
表層２０は、コットン不織布から構成される。炭素層３０は、活性炭素繊維とポリエチレンテレフタラート（ＰＥＴ）繊維とが混合して形成した不織布から構成され、かつ活性炭素繊維の含有量が５０ｗｔ％であり、厚さが０．２５ｍｍであり、重さが５０ｇ／ｍ2であり、比表面積が２００ｍ2／ｇである。粘着層５０は、シラン含有プラスチックを炭素層３０に塗布することによって形成される。続いて医療用アクリル樹脂によって表層２０と炭素層３０を接着すれば比較例３による遠赤外線マスク１０が完成する。
【００２１】
（測定方法）
（遠赤外線測定）
まず、熱赤外線デジタルカメラ（Thermal Infrared-Ray Digital Camera）によって遠赤外線マスクを着用する前の人体の顔面の平均温度Ｔ１を測定する。続いてそれぞれの実験例による遠赤外線マスク１０および比較例による遠赤外線マスク１０を人体の顔面に６０分間着用し、そののち再び熱赤外線デジタルカメラによって人体の顔面の平均温度Ｔ２を測定する。続いてＴ２からＴ１を引いて算出した人体の顔面の平均温度の増加数値は、表１に示した通りである。
【００２２】
（紫外線防御測定）
ＡＡＴＣＣ１８３−２００４ドライ式測定によってそれぞれの実験例による遠赤外線マスクと比較例による遠赤外線マスクの紫外線透過率％および紫外線防止指数（ＵＰＦ）を測定する。測定結果は表２に示した通りである。紫外線透過率の測定はＵＶＡ平均値およびＵＶＢ平均値を求めることである。表において、ＵＶＡ平均値およびＵＶＢ平均値が小さければ小さいほど、紫外線透過量が少なくなる。紫外線防止指数が大きければ大きいほど、紫外線防御効果が良くなる。
【００２３】
【表１】
0005336552.tif 000002
【表２】
0005336552.tif 000003
【００２４】
表１の結果により、実験例１から実験例５による遠赤外線マスクを実験対象者に６０分間着用した後、顔面の平均温度が明らかに上昇することに対し、比較例１から比較例３による遠赤外線マスクを実験対象者に６０分間着用した後、顔面の平均温度の変化はあまり著しくないため、本発明による遠赤外線マスクは遠赤外線を確実に放出することができることだけでなく、密着した部位の温度を上昇させ、血行を促進することができることが判明した。続いて、実験例１と比較例１に基づいて説明を進める。実験前、即ち実験対象者の顔面に遠赤外線マスクを着用する前に熱赤外線デジタルカメラによって測定して得た温度分布図は図５に示した通りである。このとき実験対象者の顔面の平均温度は３２．０７℃である。実験例１によるマスクと比較例１による遠赤外線マスクを実験対象者の顔面に６０分間着用した後、測定して得た温度分布図は図６および図７に示した通りである。実験例１による遠赤外線マスクを着用した実験対象者の額、口および鼻の部位が明らかに赤くなる。このとき実験対象者の顔面の平均温度は３３．１１℃であり、１．０４℃高くなった。それに対し、比較例１による遠赤外線マスクを着用した実験対象者の顔面の温度変化はあまり著しくない。従って、実験例１による遠赤外線マスクは実験対象者の顔面の平均温度を上昇させ、マスクを着用した部位の血行を促進することができることが判明した。
【００２５】
表２により、比較例１から比較例３による遠赤外線マスクは紫外線透過率が４０％から８０％まで達し、紫外線防止指数が僅か２から８であるのに対し、実験例１から実験例５による遠赤外線マスクは紫外線透過率が僅か０．４％から１０％であり、紫外線防止指数が１５から２３５まで達するため、本発明による遠赤外線マスクは紫外線遮断効果が十分に優れたことが判明した。
【００２６】
上述した通り、本発明による遠赤外線マスクが人体の皮膚に着用されるとき、皮膚の温度を上昇させ、血行を促進することができるだけでなく、マスクの機能成分を吸収する皮膚の能力を向上させることができる。また、本発明による遠赤外線マスクは紫外線防御機能を有するため、紫外線ダメージから皮膚を守ることができる。また本発明による遠赤外線マスクに抗菌金属を添加すれば、抗菌機能を果たすことができる。
【符号の説明】
【００２７】
１０：遠赤外線マスク、
２０：表層、
３０：炭素層、
４０：底層、
５０：粘着層。
【図１】
0005336552.tif 000004
【図２】
0005336552.tif 000005
【図３】
0005336552.tif 000006
【図４】
0005336552.tif 000007
【図５】
0005336552.tif 000008
【図６】
0005336552.tif 000009
【図７】
0005336552.tif 000010